(57)【特許請求の範囲】
【請求項１】
流し台のシンク内に、上方に開口した籠本体が配置される水切り籠であって、このシンクは、前角部とこれより一段低い後角部を有するものであり、籠本体の上部開口を囲む前縁部に、シンクの前角部に係止される前側の支持部を備え、籠本体の上部開口を囲む後縁部に、シンクの後角部に係止される後側の支持部を備えるとともに、籠本体の上部開口を囲む左縁部及び右縁部の少なくとも一方に、その上端部が流し台の天面と同一高さとなる載置部を備え、前側の支持部を、後側の支持部よりも高く、且つ、載置部よりも高く設けたことを特徴とする水切り籠。
【請求項２】
上記載置部は、籠本体の食器類を収容するための籠部分を形成するための線材よりも大径の線材を用いて形成していることを特徴とする請求項１に記載の水切り籠。
【発明の詳細な説明】
【技術分野】
【０００１】
本発明は、流し台のシンク内に配置される水切り籠に関する。
【背景技術】
【０００２】
従来から、流し台のシンク内に配置する水切り籠が知られている（特許文献１参照）。この水切り籠は、上方に開口した籠本体を具備し、洗浄を終えた後の食器類を該籠本体の籠部分に収容して水切りを行うようになっている。
【０００３】
ところで、流し台のシンク横の天面上にまな板を置いて調理を行う際、該天面上に十分な調理スペースを確保し難いことがある。このとき、まな板の一部をシンク側にまでずらして配置すれば調理スペースを確保できるが、その場合には、まな板が不安定化するという問題がある。これに対して、水切り籠でまな板を支持できれば上記問題は解決できるが、従来の水切り籠の籠本体は流し台の天面と同一高さには形成されておらず、したがって、まな板を安定的に支持することができない構造となっている。
【特許文献１】特開平１１−２８１８３号公報
【発明の開示】
【発明が解決しようとする課題】
【０００４】
本発明は上記問題点に鑑みて発明したものであって、シンク内に籠本体を配置して食器類の水切り用に使用することができ、且つ、必要に応じてまな板を安定的に支持して調理スペースを確保することのできる水切り籠を提供することを、課題とするものである。
【課題を解決するための手段】
【０００５】
上記課題を解決するために本発明を、流し台のシンク内に、上方に開口した籠本体１が配置される水切り籠であって、このシンクは、前角部１０とこれより一段低い後角部１１を有するものであり、籠本体１の上部開口を囲む前縁部４に、シンクの前角部１０に係止される前側の支持部８を備え、籠本体１の上部開口を囲む後縁部５に、シンクの後角部１１に係止される後側の支持部８を備えるとともに、籠本体１の上部開口を囲む左縁部６及び右縁部７の少なくとも一方に、その上端部１２ａが流し台の天面と同一高さとなる載置部１２を備えたものとする。そして、前側の支持部８を、後側の支持部８よりも高く、且つ、載置部１２よりも高く設ける。このようにすることで、籠本体１内に食器類を収容して水切り用に使用できるとともに、必要に応じて、流し台の天面と載置部１２の上端部１２ａとの間でまな板を安定的に支持することができる。これにより調理スペースが広く確保される。
【０００６】
上記載置部１２は、籠本体１の食器類を収容するための籠部分を形成する線材よりも大径の線材を用いて形成していることが好適である。これにより、載置部１２と流し台の天面との間でまな板を載置して調理をすることができる程度に該載置部１２を高強度にすることができ、しかも、籠部分については小径の線材により形成して水切り籠全体の軽量化を図ることができる。
【発明の効果】
【０００７】
本発明は、シンク内に籠本体を配置して食器類の水切り用に使用することができ、且つ、必要に応じてまな板を安定的に支持することができるので、調理スペースを広く確保することができるという効果を奏する。
【発明を実施するための最良の形態】
【０００８】
以下、本発明を添付図面に示す実施形態に基づいて説明する。図１〜図４には、本発明の実施形態における一例の水切り籠を示している。図１は斜視図、図２は背面図、図３は側面図、図４は平面図である。なお、本文中に用いる前方向は、流し台に対してこれを利用する使用者が位置する側の方向を意味し、図中には矢印Ａで示してある。
【０００９】
本例の水切り籠の籠本体１は、上方に向けて開口するように線材を用いて格子状に形成されたものであり、流し台のシンク内に収まる寸法に設けている。籠本体１の上端開口を囲む開口縁部２は、平面視矩形状の枠線３から成り、この枠線３の直線状を成す前側部分が前縁部４、枠線３の直線状を成す後側部分が後縁部５、枠線３の直線状を成す左側部分が左縁部６、枠線３の直線状を成す右側部分が右縁部７となっている。枠線３はその全周に亘って段差を設けることなく水平に形成している。
【００１０】
本例では、籠本体１を流し台に係止させるための前後一対の支持部８として、前側においては前縁部４から上方に延設されるフック状の係止体９を設け、後側においては後縁部５自体を支持部８としている。籠本体１を係止させる流し台は、図中に一点鎖線で示すシンクの前角部１０が該シンクの左右両側に形成される作業用の天面（図示せず）と同一高さにあり、同じく図中に一点鎖線で示すシンクの後角部１１が両側の天面よりも一段低い位置にある。そのため、前側の支持部８（即ち係止体９）を後側の支持部８（即ち後縁部５）よりも高い位置に設けており、前側の支持部８をシンクの前角部１０上に係止させるとともに後側の支持部８をシンクの後角部１１に係止させた際に、籠本体１が水平を保つようにしている。
【００１１】
なお、前縁部４及び後縁部５に支持部８を備えるための構成としては、前縁部４や後縁部５自体を上記のように支持部８とする構成と、前縁部４や後縁部５に上記のような係止体９を延設する構成の、いずれであってもよい。
【００１２】
そして、籠本体１の上部開口を挟む左縁部６及び右縁部７には、線材を用いて形成した載置部１２を上方に延設させてある。この載置部１２は、前後方向を長手方向とする一直線状の載置棒１３の前後両端から支持脚１４を垂下させたものであって、支持脚１４の下端部を左縁部６や右縁部７に固定させることで載置棒１３を枠線３よりも高い位置に支持している。
【００１３】
この載置部１２の上端部１２ａを成す載置棒１３の、前後一直線状に形成される上端面が載置面となり、籠本体１をシンク内に配置した際に、この載置面が流し台の天面と同一高さとなるように設けている。
【００１４】
上記載置部１２は、流し台の天面との間でまな板（図示せず）を載置して調理可能となるように、籠本体１の食器類を収容する凹状の籠部分の線材よりも大径の線材を用いて高強度に形成している。具体的には、籠本体１の枠線３や係止体９や載置部１２は直径５ｍｍの大径の線材を用いて高強度に形成しており、凹状の籠部分はこれより小径の直径３ｍｍ程度の線材を用いて軽量に形成している。
【００１５】
上記構成から成る本例の水切り籠にあっては、籠本体１の前側の支持部８を成す係止体９をシンクの前角部１０に載せて係止させ、且つ、籠本体１の後側の支持部８を成す後縁部５をシンクの一段低くなった後角部１１に載せて係止させることで、籠本体１をシンク内に水平に配置することができる。籠本体１は、シンク内において一定範囲内で左右方向にスライド自在である。
【００１６】
シンク内に配置される籠本体１の左右の載置部１２には、シンクの左右側方に形成される作業スペース用の平坦な天面と同一高さにある載置面が、前後方向に一直線状に形成されている。したがって、左右の載置部１２の両方又は一方の載置面上にまな板の一部を載置し、且つ、シンクの左右側方に位置する天面上にまな板の他部を載置することで、まな板の一部をシンク側にまでずらして配置して調理スペースを確保することができ、しかも流し台の天面と同一高さにある載置部１２を用いてまな板を安定的に支持することができる。
【００１７】
ここで、籠本体１の係止位置はシンク内において左右方向で変更可能なので、まな板をシンク側にずらしたいと希望する量に応じて、籠本体１の係止位置を適宜選択することができる。例えば籠本体１内に食器類を収容したままであって左右の載置部１２を跨ぐようにまな板を載置できない場合には、籠本体１を天面から所定距離だけ離して配置し、該天面と近い側の一方の載置部１２だけを用いて、まな板を支持することができる。更に、この籠本体１を天面から大きく離れたシンク内の位置に配置し、両側の載置部１２によってのみまな板を支持させることも可能である。
【００１８】
なお、図４には籠本体１の前後の支持部８を成す線材に外径８ｍｍ、内径５ｍｍのシリコンチューブ１５を被覆させた場合を示しているが、このシリコンチューブ１５を設けていなくても構わない。また、本例では載置部１２は左右一対設けているが、籠本体１の左縁部６と右縁部７の一方にだけ設けてあってもよい。
【図面の簡単な説明】
【００１９】
【図１】本発明の実施形態における一例の水切り籠の斜視図である。
【図２】同上の背面図である。
【図３】同上の側面図である。
【図４】同上のシリコンチューブを設けた場合の平面図である。
【符号の説明】
【００２０】
１  籠本体
４  前縁部
５  後縁部
６  左縁部
７  右縁部
８  支持部
１２  載置部
１２ａ  上端部
【図１】
0004858404.tif 000002
【図２】
0004858404.tif 000003
【図３】
0004858404.tif 000004
【図４】
0004858404.tif 000005